(57)【要約】【課題】返却された観光案内用の貸し出し携帯端末の情報からオリジナルパンフレットを作成できると共に、これにより観光客の携帯端末の返却を促すことができる携帯端末向け観光ガイドシステムのオリジナルパンフレット作成システムを提供する。【解決手段】ホストシステム１が、観光地撮影用カメラ１３と、観光ガイド用携帯端末１５とにネットワークで接続された携帯端末向け観光ガイドシステムのオリジナルパンフレット作成システムであって、ホストシステム１は、返却された携帯端末１５の端末コードが入力され、パンフレット雛形が指定されると、データベースを検索し、撮影日時と観光ガイド参照時間が近い観光地画像、観光地情報及びパンフレット雛形を取得する手段と、観光地画像の撮影日時、又は、観光ガイド情報の観光ガイド参照時間の昇順でパンフレット雛形に観光地画像、観光地情報を当てはめ、パンフレットを作成する手段等を備える。【選択図】図１
2012038120.tif 000002
【特許請求の範囲】
【請求項１】
ホストシステムが、観光地撮影用カメラと、観光ガイド用携帯端末とにネットワークで接続された携帯端末向け観光ガイドシステムのオリジナルパンフレット作成システムであって、
前記観光ガイド用携帯端末は、各観光地に設置されている無線マーカから観光地コードを取得する手段と、
前記ホストシステムに取得した観光地コードを送信する手段と、
前記ホストシステムから前記観光地コードに対応する観光ガイド情報を受信する手段と、
受信した観光ガイド情報を音声及び／又は表示出力して観光客へ観光ガイドを行う手段とを備え、
前記ホストシステムは、前記観光ガイド用携帯端末から観光ガイド情報要求を受信すると、受信の都度、前記観光ガイド情報要求と共に受信する、観光ガイド情報を要求した観光ガイド用携帯端末の端末コード、観光地コード及び観光ガイド情報の参照時間を前記ホストシステムが備える参照履歴データベースに格納する手段と、
前記ホストシステムが備える入出力端末から、返却された観光ガイド用携帯端末の端末コードが入力され、パンフレット雛形が指定されると、入力された端末コードをキーとして前記参照履歴データベースを検索し、観光地コード、参照時間を取得する手段と
入力された前記観光地コードをキーとして前記ホストシステムが備える観光地画像データベースを検索し、撮影日時と参照時間が近い観光地画像を取得する手段と、
入力された前記観光地コードをキーとして、前記ホストシステムが備える観光地情報データベースを検索し、観光地情報を取得し、前記ホストシステムが備えるパンフレット雛形データベースを検索し、指定されたパンフレット雛形を取得する手段と、
前記観光地画像の撮影日時、又は、前記観光ガイド情報の参照時間の昇順で前記パンフレット雛形に観光地画像、観光地情報を当てはめ、パンフレットを作成する手段とを備えたことを特徴とする携帯端末向け観光ガイドシステムのオリジナルパンフレット作成システム。
【請求項２】
前記ホストシステムは、前記パンフレットに、前記観光ガイド情報の参照時間に基づき、訪問日時、気温、天気のうち、少なくとも一つを付与する手段を備えたことを特徴とする請求項１記載の携帯端末向け観光ガイドシステムのオリジナルパンフレット作成システム。
【請求項３】
前記ホストシステムは、前記観光ガイド用携帯端末から受信した観光地コードをキーとして、前記ホストシステムが備える観光ガイドデータベースを検索し、観光ガイド情報を取得する手段と、
取得した観光ガイド情報を前記観光ガイド用携帯端末へ送信する手段とを備えることを特徴とする請求項１又は２記載の携帯端末向け観光ガイドシステムのオリジナルパンフレット作成システム。
【請求項４】
前記ホストシステムは、前記観光地撮影用カメラから観光地画像を受信すると、受信した観光地画像を前記ホストシステムが備える観光地画像データベースに格納する手段を備えたことを特徴とする請求項１乃至３のうちいずれか一に記載の携帯端末向け観光ガイドシステムのオリジナルパンフレット作成システム。
【請求項５】
ホストシステムが、観光地撮影用カメラと、観光ガイド用携帯端末とにネットワークで接続された携帯端末向け観光ガイドシステムのホストシステムに於いて、
前記観光ガイド用携帯端末から観光ガイド情報要求を受信すると、受信の都度、前記観光ガイド情報要求と共に受信する、観光ガイド情報を要求した観光ガイド用携帯端末の端末コード、前記観光ガイド用携帯端末が各観光地に設置されている無線マーカから取得した観光地コード及び観光ガイド情報の参照時間を前記ホストシステムが備える参照履歴データベースに格納する手段と、
前記ホストシステムが備える入出力端末から、返却された観光ガイド用携帯端末の端末コードが入力され、パンフレット雛形が指定されると、入力された端末コードをキーとして前記参照履歴データベースを検索し、観光地コード、参照時間を取得する手段と
入力された前記観光地コードをキーとして前記ホストシステムが備える観光地画像データベースを検索し、撮影日時と参照時間が近い観光地画像を取得する手段と、
入力された前記観光地コードをキーとして、前記ホストシステムが備える観光地情報データベースを検索し、観光地情報を取得し、前記ホストシステムが備えるパンフレット雛形データベースを検索し、指定されたパンフレット雛形を取得する手段と、
前記観光地画像の撮影日時、又は、前記観光ガイド情報の参照時間の昇順で前記パンフレット雛形に観光地画像、観光地情報を当てはめ、パンフレットを作成する手段とを備えたことを特徴とする携帯端末向け観光ガイドシステムのホストシステム。
【請求項６】
前記パンフレットに、前記観光ガイド情報の参照時間に基づき、訪問日時、気温、天気のうち、少なくとも一つを付与する手段を備えたことを特徴とする請求項５記載の携帯端末向け観光ガイドシステムのホストシステム。
【請求項７】
前記観光ガイド用携帯端末から受信した観光地コードをキーとして、前記ホストシステムが備える観光ガイドデータベースを検索し、観光ガイド情報を取得する手段と、
取得した観光ガイド情報を前記観光ガイド用携帯端末へ送信する手段とを備えることを特徴とする請求項５又は６記載のホストシステム。
【請求項８】
前記観光地撮影用カメラから観光地画像を受信すると、受信した観光地画像を前記ホストシステムが備える観光地画像データベースに格納する手段を備えたことを特徴とする請求項５乃至７のうちいずれか一に記載の携帯端末向け観光ガイドシステムのホストシステム。
【請求項９】
ホストシステムが、観光地撮影用カメラと、観光ガイド用携帯端末とにネットワークで接続された携帯端末向け観光ガイドシステムのオリジナルパンフレット作成方法であって、
前記観光ガイド用携帯端末は、各観光地に設置されている無線マーカから観光地コードを取得するステップと、
前記ホストシステムに取得した観光地コードを送信するステップと、
前記ホストシステムから前記観光地コードに対応する観光ガイド情報を受信するステップと、
受信した観光ガイド情報を音声及び／又は表示出力して観光客へ観光ガイドを行うステップとを実行し、
前記ホストシステムは、前記観光ガイド用携帯端末から観光ガイド情報要求を受信すると、受信の都度、前記観光ガイド情報要求と共に受信する、観光ガイド情報を要求した観光ガイド用携帯端末の端末コード、観光地コード及び観光ガイド情報の参照時間を前記ホストシステムが備える参照履歴データベースに格納するステップと、
前記ホストシステムが備える入出力端末から、返却された観光ガイド用携帯端末の端末コードが入力され、パンフレット雛形が指定されると、入力された端末コードをキーとして前記参照履歴データベースを検索し、観光地コード、参照時間を取得するステップと
入力された前記観光地コードをキーとして前記ホストシステムが備える観光地画像データベースを検索し、撮影日時と参照時間が近い観光地画像を取得するステップと、
入力された前記観光地コードをキーとして、前記ホストシステムが備える観光地情報データベースを検索し、観光地情報を取得し、前記ホストシステムが備えるパンフレット雛形データベースを検索し、指定されたパンフレット雛形を取得するステップと、
前記観光地画像の撮影日時、又は、前記観光ガイド情報の参照時間の昇順で前記パンフレット雛形に観光地画像、観光地情報を当てはめ、パンフレットを作成するステップとを実行することを特徴とする携帯端末向け観光ガイドシステムのオリジナルパンフレット作成方法。
【請求項１０】
前記ホストシステムは、前記パンフレットに、前記観光ガイド情報の参照時間に基づき、訪問日時、気温、天気のうち、少なくとも一つを付与するステップを実行することを特徴とする請求項９記載の携帯端末向け観光ガイドシステムのオリジナルパンフレット作成方法。
【請求項１１】
前記ホストシステムは、前記観光ガイド用携帯端末から受信した観光地コードをキーとして、前記ホストシステムが備える観光ガイドデータベースを検索し、観光ガイド情報を取得するステップと、
取得した観光ガイド情報を前記観光ガイド用携帯端末へ送信するステップとを実行することを特徴とする請求項９又は１０記載の携帯端末向け観光ガイドシステムのオリジナルパンフレット作成方法。
【請求項１２】
前記ホストシステムは、前記観光地撮影用カメラから観光地画像を受信すると、受信した観光地画像を前記ホストシステムが備える観光地画像データベースに格納するステップを実行することを特徴とする請求項９乃至１１のうちいずれか一に記載の携帯端末向け観光ガイドシステムのオリジナルパンフレット作成方法。
【発明の詳細な説明】
【技術分野】
【０００１】
本発明は、携帯端末向け観光ガイドシステムのオリジナルパンフレット作成システム、ホストシステム、及び、オリジナルパンフレット作成方法に関するものである。
【背景技術】
【０００２】
現在、いくつかの観光地では携帯端末を活用した観光ガイドを提供するサービスをおこなっている。観光客はこのサービスにより、携帯端末より観光地の情報をテキスト、音声、動画等の形式で得ることができる。また、外国人観光客は観光情報を多言語で得ることができる。
携帯端末を活用した観光ガイドシステムに関連する技術文献としては下記特許文献１があげられる。
特許文献１は、利用者の位置情報を取得可能な移動体端末を利用して、その取得された位置情報に応じた特定の情報を配信する観光情報配信装置および観光情報配信システムであって、ガイド内容の配信を希望する観光対象を予め選択可能にすることにより、利用者の移動体端末に無駄なガイド内容が配信されることを防止した観光情報配信装置および観光情報配信システムが記載されている。
【先行技術文献】
【特許文献】
【０００３】
【特許文献１】特開２００５−１５７９７７号公報
【発明の概要】
【発明が解決しようとする課題】
【０００４】
携帯端末を活用した観光ガイドシステムでは、案内用の携帯端末を観光客に貸し出し、周辺の施設で利用してもらう。観光客には最後に携帯端末を返却してもらうが、観光客は、返却することを失念したり、返却するのを手間に感じてしまうことがある。
このため、携帯端末が予定通り返却されない等、携帯端末の管理が困難となる。
これは、携帯端末を貸し出す際に、身分証明書(パスポート、運転免許証など)を観光客に提示してもらうことによって、対策することができる。
しかし、多くの観光客は心身をリフレッシュするために観光に来ているので、携帯端末の貸し出しについても自ら進んで返却したくなるようなサービスを用意するほうが望ましい。
【０００５】
以上の現状に鑑み、本発明は、案内用の携帯端末を観光客に貸し出し、観光地内及び周辺の施設や場所で利用してもらう、携帯端末を活用した携帯端末向け観光ガイドシステムに於いて、返却された携帯端末の情報に基づきオリジナルパンフレットを作成し、観光客に提供できると共に、これによって、観光客が案内用の携帯端末を自ら進んで返却するように促すことができる携帯端末向け観光ガイドシステムのオリジナルパンフレット作成システム、ホストシステム、及び、オリジナルパンフレット作成方法を提供することを目的とする。
【課題を解決するための手段】
【０００６】
上記の課題を解決すべく、本発明は以下の構成を提供する。
請求項１に係る発明は、ホストシステムが、観光地撮影用カメラと、観光ガイド用携帯端末とにネットワークで接続された携帯端末向け観光ガイドシステムのオリジナルパンフレット作成システムであって、
前記観光ガイド用携帯端末は、各観光地に設置されている無線マーカから観光地コードを取得する手段と、
前記ホストシステムに取得した観光地コードを送信する手段と、
前記ホストシステムから前記観光地コードに対応する観光ガイド情報を受信する手段と、
受信した観光ガイド情報を音声及び／又は表示出力して観光客へ観光ガイドを行う手段とを備え、
前記ホストシステムは、前記観光ガイド用携帯端末から観光ガイド情報要求を受信すると、受信の都度、前記観光ガイド情報要求と共に受信する、観光ガイド情報を要求した観光ガイド用携帯端末の端末コード、観光地コード及び観光ガイド情報の参照時間を前記ホストシステムが備える参照履歴データベースに格納する手段と、
前記ホストシステムが備える入出力端末から、返却された観光ガイド用携帯端末の端末コードが入力され、パンフレット雛形が指定されると、入力された端末コードをキーとして前記参照履歴データベースを検索し、観光地コード、参照時間を取得する手段と
入力された前記観光地コードをキーとして前記ホストシステムが備える観光地画像データベースを検索し、撮影日時と参照時間が近い観光地画像を取得する手段と、
入力された前記観光地コードをキーとして、前記ホストシステムが備える観光地情報データベースを検索し、観光地情報を取得し、前記ホストシステムが備えるパンフレット雛形データベースを検索し、指定されたパンフレット雛形を取得する手段と、
前記観光地画像の撮影日時、又は、前記観光ガイド情報の参照時間の昇順で前記パンフレット雛形に観光地画像、観光地情報を当てはめ、パンフレットを作成する手段とを備えたことを特徴とする携帯端末向け観光ガイドシステムのオリジナルパンフレット作成システムを提供するものである。
【０００７】
請求項２に係る発明は、前記ホストシステムは、前記パンフレットに、前記観光ガイド情報の参照時間に基づき、訪問日時、気温、天気のうち、少なくとも一つを付与する手段を備えたことを特徴とする請求項１記載の携帯端末向け観光ガイドシステムのオリジナルパンフレット作成システムを提供するものである。
【０００８】
請求項３に係る発明は、前記ホストシステムは、前記観光ガイド用携帯端末から受信した観光地コードをキーとして、前記ホストシステムが備える観光ガイドデータベースを検索し、観光ガイド情報を取得する手段と、
取得した観光ガイド情報を前記観光ガイド用携帯端末へ送信する手段とを備えることを特徴とする請求項１又は２記載の携帯端末向け観光ガイドシステムのオリジナルパンフレット作成システムを提供するものである。
【０００９】
請求項４に係る発明は、前記ホストシステムは、前記観光地撮影用カメラから観光地画像を受信すると、受信した観光地画像を前記ホストシステムが備える観光地画像データベースに格納する手段を備えたことを特徴とする請求項１乃至３のうちいずれか一に記載の携帯端末向け観光ガイドシステムのオリジナルパンフレット作成システムを提供するものである。
【００１０】
請求項５に係る発明は、ホストシステムが、観光地撮影用カメラと、観光ガイド用携帯端末とにネットワークで接続された携帯端末向け観光ガイドシステムのホストシステムに於いて、
前記観光ガイド用携帯端末から観光ガイド情報要求を受信すると、受信の都度、前記観光ガイド情報要求と共に受信する、観光ガイド情報を要求した観光ガイド用携帯端末の端末コード、前記観光ガイド用携帯端末が各観光地に設置されている無線マーカから取得した観光地コード及び観光ガイド情報の参照時間を前記ホストシステムが備える参照履歴データベースに格納する手段と、
前記ホストシステムが備える入出力端末から、返却された観光ガイド用携帯端末の端末コードが入力され、パンフレット雛形が指定されると、入力された端末コードをキーとして前記参照履歴データベースを検索し、観光地コード、参照時間を取得する手段と
入力された前記観光地コードをキーとして前記ホストシステムが備える観光地画像データベースを検索し、撮影日時と参照時間が近い観光地画像を取得する手段と、
入力された前記観光地コードをキーとして、前記ホストシステムが備える観光地情報データベースを検索し、観光地情報を取得し、前記ホストシステムが備えるパンフレット雛形データベースを検索し、指定されたパンフレット雛形を取得する手段と、
前記観光地画像の撮影日時、又は、前記観光ガイド情報の参照時間の昇順で前記パンフレット雛形に観光地画像、観光地情報を当てはめ、パンフレットを作成する手段とを備えたことを特徴とする携帯端末向け観光ガイドシステムのホストシステムを提供するものである。
【００１１】
請求項６に係る発明は、前記パンフレットに、前記観光ガイド情報の参照時間に基づき、訪問日時、気温、天気のうち、少なくとも一つを付与する手段を備えたことを特徴とする請求項５記載の携帯端末向け観光ガイドシステムのホストシステムを提供するものである。
【００１２】
請求項７に係る発明は、前記観光ガイド用携帯端末から受信した観光地コードをキーとして、前記ホストシステムが備える観光ガイドデータベースを検索し、観光ガイド情報を取得する手段と、
取得した観光ガイド情報を前記観光ガイド用携帯端末へ送信する手段とを備えることを特徴とする請求項５又は６記載のホストシステムを提供するものである。
【００１３】
請求項８に係る発明は、前記観光地撮影用カメラから観光地画像を受信すると、受信した観光地画像を前記ホストシステムが備える観光地画像データベースに格納する手段を備えたことを特徴とする請求項５乃至７のうちいずれか一に記載の携帯端末向け観光ガイドシステムのホストシステムを提供するものである。
【００１４】
請求項９に係る発明は、ホストシステムが、観光地撮影用カメラと、観光ガイド用携帯端末とにネットワークで接続された携帯端末向け観光ガイドシステムのオリジナルパンフレット作成方法であって、
前記観光ガイド用携帯端末は、各観光地に設置されている無線マーカから観光地コードを取得するステップと、
前記ホストシステムに取得した観光地コードを送信するステップと、
前記ホストシステムから前記観光地コードに対応する観光ガイド情報を受信するステップと、
受信した観光ガイド情報を音声及び／又は表示出力して観光客へ観光ガイドを行うステップとを実行し、
前記ホストシステムは、前記観光ガイド用携帯端末から観光ガイド情報要求を受信すると、受信の都度、前記観光ガイド情報要求と共に受信する、観光ガイド情報を要求した観光ガイド用携帯端末の端末コード、観光地コード及び観光ガイド情報の参照時間を前記ホストシステムが備える参照履歴データベースに格納するステップと、
前記ホストシステムが備える入出力端末から、返却された観光ガイド用携帯端末の端末コードが入力され、パンフレット雛形が指定されると、入力された端末コードをキーとして前記参照履歴データベースを検索し、観光地コード、参照時間を取得するステップと
入力された前記観光地コードをキーとして前記ホストシステムが備える観光地画像データベースを検索し、撮影日時と参照時間が近い観光地画像を取得するステップと、
入力された前記観光地コードをキーとして、前記ホストシステムが備える観光地情報データベースを検索し、観光地情報を取得し、前記ホストシステムが備えるパンフレット雛形データベースを検索し、指定されたパンフレット雛形を取得するステップと、
前記観光地画像の撮影日時、又は、前記観光ガイド情報の参照時間の昇順で前記パンフレット雛形に観光地画像、観光地情報を当てはめ、パンフレットを作成するステップとを実行することを特徴とする携帯端末向け観光ガイドシステムのオリジナルパンフレット作成方法を提供するものである。
【００１５】
請求項１０に係る発明は、前記ホストシステムは、前記パンフレットに、前記観光ガイド情報の参照時間に基づき、訪問日時、気温、天気のうち、少なくとも一つを付与するステップを実行することを特徴とする請求項９記載の携帯端末向け観光ガイドシステムのオリジナルパンフレット作成方法を提供するものである。
【００１６】
請求項１１に係る発明は、前記ホストシステムは、前記観光ガイド用携帯端末から受信した観光地コードをキーとして、前記ホストシステムが備える観光ガイドデータベースを検索し、観光ガイド情報を取得するステップと、
取得した観光ガイド情報を前記観光ガイド用携帯端末へ送信するステップとを実行することを特徴とする請求項９又は１０記載の携帯端末向け観光ガイドシステムのオリジナルパンフレット作成方法を提供するものである。
【００１７】
請求項１２に係る発明は、前記ホストシステムは、前記観光地撮影用カメラから観光地画像を受信すると、受信した観光地画像を前記ホストシステムが備える観光地画像データベースに格納するステップを実行することを特徴とする請求項９乃至１１のうちいずれか一に記載の携帯端末向け観光ガイドシステムのオリジナルパンフレット作成方法を提供するものである。
【発明の効果】
【００１８】
本発明によれば、利用者が案内用の携帯端末を自ら進んで返却するように促すことができる携帯端末向け観光ガイドシステムのオリジナルパンフレット作成システム、ホストシステム、及び、オリジナルパンフレット作成方法を提供することができる。
【図面の簡単な説明】
【００１９】
【図１】本発明の携帯端末向け観光ガイドシステムのオリジナルパンフレット作成システムの一実施の形態例を示すシステム構成図である。
【図２】本発明の観光地情報データベースに格納されているデータの構成図である。
【図３】本発明の観光地画像データベースに格納されているデータの構成図である。
【図４】本発明の参照履歴データベースに格納されているデータの構成図である。
【図５】本発明の観光客の行動の流れを示すフローチャートである。
【図６】本発明の観光ガイド用携帯端末の処理を示すフローチャートである。
【図７】本発明のホストシステムの処理を示すフローチャートである。
【図８】本発明のパンフレット雛形の具体例の説明図である。
【図９】本発明の作成されるパンフレットの具体例の説明図である。
【発明を実施するための形態】
【００２０】
以下、実施例を示した図面を参照しつつ本発明の実施の形態を説明する。
尚、上記ホストシステムは、コンピュータであり、上記観光地撮影用カメラと、上記観光ガイド用携帯端末は、コンピュータの機能を備え、上記各手段は、コンピュータ又はコンピュータ機能のＣＰＵが必要なコンピュータプログラムを読み込んで実行することにより実現される手段であり、そのフローチャートが図６及び図７である。
【００２１】
図１は本発明の実施の形態の一例を示すシステム構成図である。
本発明の携帯端末向け観光ガイドシステムは、観光地情報データベース７、観光地画像データベース８、パンフレット雛形データベース９、観光ガイドデータベース１１、及び、参照履歴データベース１２を記憶装置（図示せず）に備えると共に、入出力端末１０を備えたホストシステム１と、各観光地に設置された複数の観光地撮影用カメラ１３ａ、１３ｂ、１３ｃと、各観光地に設置された複数の無線マーカ１４ａ、１４ｂ、１４ｃと、観光客に貸し出す複数の観光ガイド用携帯端末１５ａ、１５ｂ、１５ｃとから構成されている。
【００２２】
ホストシステム１と観光地撮影用カメラ１３（前記観光地撮影用カメラ１３ａ、１３ｂ、１３ｃ）、観光ガイド用携帯端末１５（前記観光ガイド用携帯端末１５ａ、１５ｂ、１５ｃ）はネットワークで接続されている。ホストシステム１は内部に検索処理部２、送受信部３、印刷処理部４、パンフレット作成処理部５、データベース更新部６を保持している。
【００２３】
ホストシステム１の観光地情報データベース７は図２に示すようなデータ構成を保持し、パンフレット作成時に利用する各観光地の情報が格納されている。
ホストシステム１の観光地画像データベース８は図３に示すようなデータ構成を保持し、一定時間ごとに観光地撮影用カメラ１３から送信される観光地画像が撮影日時とともに格納されている。
【００２４】
ホストシステム１のパンフレット雛形データベース９には、パンフレット作成時に利用するパンフレットの雛形が格納されている。
ホストシステム１の観光ガイドデータベース１１には、観光ガイド用携帯端末１５からの観光ガイド情報要求に対して返信する観光ガイド情報が格納されている。
観光ガイド情報は、観光地の情報をテキスト、音声、静止画、動画などの形式の情報にしたものである。
ホストシステム１の参照履歴データベース１２は図４に示すようなデータ構成を保持し、観光ガイド用携帯端末１５からの観光ガイド情報要求を受信の都度、観光ガイド情報を要求した観光ガイド用携帯端末１５の端末コード、観光地コード、参照時間（観光ガイド情報の参照時間、具体的には例えば観光ガイド情報発信時刻、或いは、観光ガイド情報要求受信時刻）が格納される。
【００２５】
ホストシステム１は観光地撮影用カメラ１３、観光ガイド用携帯端末１５から送信される情報を受信する送受信部３を備えており、観光ガイド用携帯端末１５からの観光ガイド情報要求に対する返信は送受信部３を介しておこなう。また、観光地撮影用カメラ１３、観光ガイド用携帯端末１５、入出力端末１０から取得した情報はデータベース更新部６によって各データベースに反映される。
パンフレット作成時は観光地情報データベース７、観光地画像データベース８、パンフレット雛形データベース９、参照履歴データベース１２から必要な情報を検索処理部２により検索し、パンフレット作成処理部５によって、時系列順に観光地訪問時の観光地画像と観光地情報が出力されたパンフレットを作成する。さらに印刷処理部４によって、作成したパンフレットをプリント出力する。
【００２６】
以上で、本実施形態に係る携帯端末向け観光ガイドシステムにおけるオリジナルパンフレット作成システム、ホストシステムの構成、機能についての説明を終了し、以下、本実施形態に係る携帯端末向け観光ガイドシステムにおけるオリジナルパンフレット作成方法の動作について説明する。
【００２７】
図５は観光客の行動の流れを示すフローチャートである。
観光客は、観光を始める前に、観光ガイド用携帯端末１５を借りる（ステップ５０１）。観光客は観光ガイド用携帯端末１５を借りると、観光地内及び周辺の施設や場所で観光ガイド用携帯端末１５を利用し、観光ガイド情報を取得する（ステップ５０２）。観光客は、観光が終わると観光ガイド用携帯端末１５を返却する（ステップ５０３）。観光客は、観光ガイド用携帯端末１５を返却したのち、オリジナルパンフレットを受け取る（ステップ５０４）。
【００２８】
図６は観光ガイド用携帯端末の処理を示すフローチャートである。
観光客は、観光ガイド用携帯端末１５によって、各観光地に設置されている無線マーカ１４（前記無線マーカ１４ａ、１４ｂ、１４ｃ）から観光地コードを無線受信により取得する（ステップ６０１）。
そして、観光客は、観光ガイド用携帯端末１５によって、取得した観光地コードをホストシステム１に送信する（ステップ６０２）。ホストシステム１は受信した観光地コードをもとに観光ガイドデータベース１１を検索し、対応する観光ガイド情報を観光ガイド用携帯端末１５に送信する。観光ガイド用携帯端末１５は観光ガイド情報を受信する（ステップ６０３）。
観光ガイド用携帯端末１５は受信した観光ガイド情報をテキスト、音声、静止画、動画等の形式で音声及び／又は表示出力して観光客へ観光ガイドを行う（ステップ６０４）。
【００２９】
図7はホストシステムの処理を示すフローチャートである。
《「パンフレット作成処理」の場合》
「パンフレット作成処理」の場合（ステップ７０１）、ホストシステム操作者は、入出力端末１０から、返却された観光ガイド用携帯端末１５の端末コードを入力する（ステップ７０２）。
更に、入出力端末１０からパンフレット雛形データベース９に登録されたパンフレット雛形を指定する。パンフレット雛形の例を図８に示す（ステップ７０３）。
尚、前述の「端末コードを入力する」作業、「パンフレット雛形を指定する」作業は、ホストシステム操作者が行うが、観光客が行えるようにシステムを構成することも可能である。
【００３０】
入力された端末コードと指定されたパンフレット雛形をもとに、観光地情報データベース７、観光地画像データベース８、パンフレット雛形データベース９、参照履歴データベース１２を検索する。まず、入力された端末コードをキーとして参照履歴データベース１２を検索し、観光地コード、参照時間を取得する。次に、観光地コードをキーとして観光地画像データベース８を検索し、撮影日時と参照時間が近いものを取得する。次に、観光地コードをキーとして観光地情報データベース７を検索し、観光地情報を取得し、更に、パンフレット雛形データベース９を検索し、指定されたパンフレット雛形を取得する（ステップ７０４）。
【００３１】
観光地画像の撮影日時、または観光ガイド情報の参照時間の昇順でパンフレット雛形に観光地画像、観光地情報を当てはめ、パンフレットを作成する。このとき、訪問日時、気温、天気等の情報もパンフレットに付与する（ステップ７０５）。
作成したパンフレットをプリント出力する。作成したパンフレットの例を図９に示す（ステップ７０６）。
【００３２】
《「観光ガイド情報要求」の場合》
「観光ガイド情報要求」の場合（ステップ７０７）、観光ガイド用携帯端末１５から受信した観光地コードをキーとして、観光ガイドデータベース１１を検索し、観光ガイド情報を取得する（ステップ７０８）。
取得した観光ガイド情報を観光ガイド用携帯端末１５へ送信する（ステップ７０９）。
【００３３】
《「観光地画像を受信」の場合》
「観光地画像を受信」の場合（ステップ７１０）、観光地撮影用カメラ１３から受信した観光地画像を観光地画像データベース８に格納する（ステップ７１１）。
【符号の説明】
【００３４】
１  ホストシステム
７  観光地情報データベース
８  観光地画像データベース
９  パンフレット雛形データベース
１０  入出力端末
１１  観光ガイドデータベース
１２  参照履歴データベース
１３  観光地撮影用カメラ
１５  観光ガイド用携帯端末
【図１】
2012038120.tif 000003
【図２】
2012038120.tif 000004
【図３】
2012038120.tif 000005
【図４】
2012038120.tif 000006
【図５】
2012038120.tif 000007
【図６】
2012038120.tif 000008
【図７】
2012038120.tif 000009
【図８】
2012038120.tif 000010
【図９】
2012038120.tif 000011